(57)【要約】      （修正有）【課題】実験装置におけるＲＦＩＤタグのＲＦＩＤリーダアンテナへの改善された関連付けを提供する。【解決手段】個数ｎのＲＦＩＤリーダアンテナ１０．１〜１０．ｎを有する実験装置１においてＲＦＩＤタグをＲＦＩＤリーダアンテナに関連付けるための方法は、個数ｍのＲＦＩＤタグ２０．１〜２０．ｍの各々に対応する固有識別子を読み取るステップと、各ＲＦＩＤタグ２０．１〜２０．ｍからの対応する応答信号の受信信号強度指示をｎ個のＲＦＩＤリーダアンテナ１０．１〜１０．ｎの各々によって登録するステップと、各ＲＦＩＤタグ２０．１〜２０．ｍをＲＦＩＤタグ２０．１〜２０．ｍに対応する最も強い受信信号強度指示を受信したリーダアンテナ１０．１〜１０．ｎと関連付けるステップと、を含む。【選択図】図２
2016051474.tif 000002
【特許請求の範囲】
【請求項１】
個数ＮのＲＦＩＤリーダアンテナ（１０．１〜１０．Ｎ）を備える実験装置（１）における無線周波数識別ＲＦＩＤタグ−リーダアンテナ関連付けのための方法であって、
個数ＭのＲＦＩＤタグ（２０．１〜２０．Ｍ）の各々に対応する固有識別子ＵＩＤ１〜ＵＩＤＭを読み取るステップと、
前記Ｍ個のＲＦＩＤタグ（２０．１〜２０．Ｍ）の各々からの対応する応答信号の受信信号強度指示ＲＳＳＩ．１．１〜ＲＳＳＩ．Ｎ．Ｍを、前記Ｎ個のＲＦＩＤリーダアンテナ（１０．１〜１０．Ｎ）の各々によって登録するステップと、
前記Ｍ個のＲＦＩＤタグ（２０．１〜２０．Ｍ）の各々を、前記ＲＦＩＤタグ（２０．１〜２０．Ｍ）に対応する最も強い受信信号強度指示ＲＳＳＩ．１．１〜ＲＳＳＩ．Ｎ．Ｍを受信した前記リーダアンテナ（１０．１〜１０．Ｎ）と関連付けるステップと
を含み、
ＮおよびＭは自然数であり、
Ｎは２以上であり、
Ｍは１以上である、方法。
【請求項２】
前記受信信号強度指示ＲＳＳＩ．１．１〜ＲＳＳＩ．Ｎ．Ｍが、前記Ｎ個のＲＦＩＤリーダアンテナ（１０．１〜１０．Ｎ）の各々によって、前記Ｍ個のＲＦＩＤタグ（２０．１〜２０．Ｍ）の各々に対応する前記固有識別子ＵＩＤ１〜ＵＩＤＭを読み取るステップの間に登録される、請求項１に記載の方法。
【請求項３】
前記受信信号強度指示ＲＳＳＩ．１．１〜ＲＳＳＩ．Ｎ．Ｍが、前記Ｎ個のＲＦＩＤリーダアンテナ（１０．１〜１０．Ｎ）によって、前記Ｍ個のＲＦＩＤタグ（２０．１〜２０．Ｍ）の各々を前記対応する固有識別子ＵＩＤ１〜ＵＩＤＭにより個別にアドレス指定することによって登録される、請求項１に記載の方法。
【請求項４】
各リーダアンテナ（１０．１〜１０．Ｎ）が前記実験装置（１）の資源の装填および／または保持および／または処理位置（５．１〜５．Ｎ）に配設される、請求項１から３の一項に記載の方法であって、前記方法が、前記ＲＦＩＤタグ（２０．１〜２０．Ｍ）の前記ＲＦＩＤリーダアンテナ（１０．１〜１０．Ｎ）との前記関連付けに基づいて、前記Ｍ個のＲＦＩＤタグ（２０．１〜２０．Ｍ）の各々のそれぞれの配置と前記装填および／または保持および／または処理位置（５．１〜５．Ｎ）との間の相関を提供するステップをさらに含む、方法。
【請求項５】
前記実験装置（１）と特定のＲＦＩＤタグ（２０．１〜２０．Ｍ）との間の通信を前記特定のＲＦＩＤタグ（２０．１〜２０．Ｍ）と関連付けられた前記リーダアンテナ（１０．１〜１０．Ｎ）を通して方向付けるステップをさらに含み、各リーダアンテナ（１０．１〜１０．Ｎ）が前記関連付けられたＲＦＩＤタグ（２０．１〜２０．Ｍ）を個別にアドレス指定することによって通信する、請求項１から４の一項に記載の方法。
【請求項６】
前記ＲＦＩＤタグ（２０．１〜２０．Ｍ）が、
消耗品および／または消耗品運搬器、
試料および／または試料運搬器、
先端部および／または先端部運搬器、
ストリップおよび／またはストリップ運搬器、
試薬および／または試薬運搬器
のうちの１つまたは複数を備える前記実験装置（１）の対応する資源に取り付けられかつ／またはこれらと関連付けられる、請求項１から５の一項に記載の方法。
【請求項７】
２つ以上のＲＦＩＤタグ（２０．１〜２０．Ｍ）が各リーダアンテナ（１０．１〜１０．Ｎ）と関連付けられていないことを確認するステップをさらに含む、請求項１から６の一項に記載の方法。
【請求項８】
Ｍ個のＲＦＩＤタグ（２０．１〜２０．Ｍ）の各々に対応する前記固有識別子ＵＩＤ１〜ＵＩＤＭを読み取るステップに基づき、ＲＦＩＤタグ（２０．１〜２０．Ｍ）の前記個数ＭがＲＦＩＤリーダアンテナ（１０．１〜１０．Ｎ）の前記個数Ｎよりも大きい場合に、エラー信号を生成するステップをさらに含む、請求項１から７の一項に記載の方法。
【請求項９】
前記Ｍ個のＲＦＩＤタグ（２０．１〜２０．Ｍ）の各々に対応する前記固有識別子ＵＩＤ１〜ＵＩＤＭを読み取るステップに基づき、ＲＦＩＤタグ２０．１〜２０．Ｍの前記個数Ｍが実験装置（１）の装填および／または保持および／または処理位置内に存在するものとして検出された資源の個数Ｒと異なる場合に、エラー信号を生成するステップをさらに含む、請求項１から８の一項に記載の方法。
【請求項１０】
個数ＭのＲＦＩＤタグ（２０．１〜２０．Ｍ）の各々に対応する固有識別子ＵＩＤ１〜ＵＩＤＭを読み取るように構成され、
ＲＦＩＤタグ（２０．１〜２０．Ｎ）からの対応する応答信号の受信信号強度指示ＲＳＳＩ．１．１〜ＲＳＳＩ．Ｎ．Ｍを登録するように各々が構成された、
個数ＮのＲＦＩＤリーダアンテナ（１０．１〜１０．Ｎ）と、
前記個数ＭのＲＦＩＤタグ（２０．１〜２０．Ｍ）の各々を、前記ＲＦＩＤタグ（２０．１〜２０．Ｍ）に対応する最も強い受信信号強度指示ＲＳＳＩ．１．１〜ＲＳＳＩ．Ｎ．Ｍを受信した前記リーダアンテナ（１０．１〜１０．Ｎ）と関連付けるように構成された処理ユニット（２）と
を備え、
ＮおよびＭは自然数であり、
Ｎは２以上であり、
Ｍは１以上である、実験装置（１）。
【請求項１１】
前記Ｎ個のＲＦＩＤリーダアンテナ（１０．１〜１０．Ｎ）が、個数ＭのＲＦＩＤタグ（２０．１〜２０．Ｍ）の各々に対応する前記固有識別子ＵＩＤ１〜ＵＩＤＭを読み取るステップの間に、前記受信信号強度指示（ＲＳＳＩ．１．１〜ＲＳＳＩ．Ｎ．Ｍ）を登録するように構成される、請求項１０に記載の実験装置（１）。
【請求項１２】
前記Ｎ個のＲＦＩＤリーダアンテナ（１０．１〜１０．Ｎ）が、前記受信信号強度指示ＲＳＳＩ．１．１〜ＲＳＳＩ．Ｎ．Ｍを、前記Ｍ個のＲＦＩＤタグ（２０．１〜２０．Ｍ）の各々を前記対応する固有識別子ＵＩＤ１〜ＵＩＤＭにより個別にアドレス指定することによって登録するように構成される、請求項１０に記載の実験装置（１）。
【請求項１３】
前記実験装置（１）の資源のための装填および／または保持および／または処理位置（５．１〜５．Ｎ）をさらに備え、前記ＲＦＩＤタグ（２０．１〜２０．Ｍ）が対応する資源に取り付けられかつ／またはこれらと関連付けられ、また、前記Ｎ個のＲＦＩＤリーダアンテナ（１０．１〜１０．Ｎ）のうちの１つが装填および／または保持および／または処理位置（５．１〜５．Ｎ）に配設されかつ／またはこれらと関連付けられる、請求項１０から１２の一項に記載の実験装置（１）。
【請求項１４】
前記処理ユニット（２）が、前記ＲＦＩＤタグ（２０．１〜２０．Ｍ）の前記ＲＦＩＤリーダアンテナ（１０．１〜１０．Ｎ）との前記関連付けに基づいて、前記Ｍ個のＲＦＩＤタグ（２０．１〜２０．Ｍ）の各々のそれぞれの配置と前記装填および／または保持および／または処理位置（５．１〜５．Ｎ）との間の相関を提供するようにさらに構成される、請求項１３に記載の実験装置（１）。
【請求項１５】
前記処理ユニット（２）が、前記実験装置（１）と特定のＲＦＩＤタグ（２０．１〜２０．Ｍ）との間の通信を前記特定のＲＦＩＤタグ（２０．１〜２０．Ｍ）と関連付けられた前記リーダアンテナ（１０．１〜１０．Ｎ）を通して方向付けるようにさらに構成され、各リーダアンテナ（１０．１〜１０．Ｎ）が前記関連付けられたＲＦＩＤタグ（２０．１〜２０．Ｍ）を個別にアドレス指定することによって通信する、請求項１０から１４の一項に記載の実験装置（１）。
【発明の詳細な説明】
【技術分野】
【０００１】
本発明は、実験装置（ｌａｂｏｒａｔｏｒｙ  ｄｅｖｉｃｅ）におけるＲＦＩＤタグ−リーダアンテナ関連付けのための方法に関する。本発明はさらに、開示される方法を使用してＲＦＩＤタグをＲＦＩＤリーダアンテナと関連付けるように構成された実験装置に関する。
【背景技術】
【０００２】
実験装置の消耗品などの資源の追跡能力の信頼性を拡げるために、光学的に読み取り可能な識別子（ｉｄｅｎｔｉｆｉｅｒ）（たとえばバーコードまたはＱＲコード（登録商標））は、無線周波数の電磁場の使用によって読み取り可能な識別子によって、置き換えられまたは補完されつつある。特に普及しているのは、ワイヤレスで非接触の自動的な識別およびデータ捕捉を可能にする、無線周波数ＲＦＩＤタグである。
【０００３】
ＲＦＩＤタグは、識別子とリーダとの間の直接的な見通し線（ｌｉｎｅ  ｏｆ  ｓｉｇｈｔ）の必要がないことなど、光学的に読み取り可能な識別子と比較して大きな利点を提供する一方、ＲＦＩＤ技術は、いくつかの欠点／困難性も導入する。そのような欠点の１つは、ＲＦＩＤリーダアンテナがその範囲内の全てのＲＦＩＤタグと同時に通信できること、およびしたがって、それらの個々の識別／位置特定が、光学的に読み取り可能な識別子に関するほど単純ではないことの結果生じる。在庫管理（ｉｎｖｅｎｔｏｒｙ）作業などのいくつかのシナリオでは、ＲＦＩＤタグの有／無のみが判定されることになるので、この点は問題とはならない場合がある。
【０００４】
しかしながら、対象物の確かな配置（ｌｏｃａｔｉｏｎ）またはＲＦＩＤリーダアンテナに対する相対的な配置が識別されるべき場合など、多くの状況において、正しい識別子がアドレス指定され（ａｄｄｒｅｓｓ）ることが非常に重要である。具体的な分野の１つは、複数のＲＦＩＤリーダアンテナを有する実験装置の消耗品などの資源を、この資源の装填／保持／処理位置（たとえばラック位置など）において識別するための、ＲＦＩＤタグの使用である。資源のこれらの装填／保持／処理位置は通常、互いに対して比較的密に近接して配設されるので、特定のＲＦＩＤリーダアンテナが配設されている位置と隣り合う位置のＲＦＩＤのアドレス指定は、一般的な関心事である。この問題に対処するための知られている手法の１つは、ＲＦＩＤリーダアンテナがその近傍にある全てのＲＦＩＤタグをアドレス指定し、最も強い戻り信号を提供するＲＦＩＤタグをそのＲＦＩＤリーダアンテナの直近に配設されたタグとして識別することである。
【０００５】
しかしながら、経験上、この手法が多くの場合満足とはいえない結果をもたらすこと、すなわちいくつかの状況において、誤った資源が特定の装填／保持／処理位置に存在するものとして識別されることが示されている。２つの異なる試薬などの２つの異なる消耗品が、実験装置の特定の配置にあるものとして誤って識別されることの結果は、極めて深刻であり、そのような取り違えは、一連の分析全体を無効にする可能性を有し、またはさらにはこの取り違えが認識されていない場合は、実験装置によって偽である結果が報告される。
【発明の概要】
【発明が解決しようとする課題】
【０００６】
開示される方法／装置の実施形態はしたがって、実験装置におけるＲＦＩＤタグのＲＦＩＤリーダアンテナへの改善された関連付けを提供することを、また特に、実験装置の資源をそれぞれの装填／保持／処理位置に関して正しく識別することを目標とする。
【課題を解決するための手段】
【０００７】
上記の手法（すなわちＲＦＩＤリーダアンテナの近傍にある全てのＲＦＩＤタグをアドレス指定し、最も強い戻り信号を提供するＲＦＩＤタグをこのリーダアンテナの直近に配設されたタグとして識別すること）の満足とはいえない結果の主な原因は、個々のＲＦＩＤタグからの受信信号の強度のばらつき（ｖａｒｉａｔｉｏｎ）であると特定されている。受信信号のこの強度のばらつきは、以下のうちの１つまたは複数の結果である：
−  たとえば様々な製造者からの、様々なバッチ／改版（ｒｅｖｉｓｉｏｎ）／世代、材料、および／または製造公差からの、様々な種類のＲＦＩＤタグおよび特にＲＦＩＤタグアンテナ、
−  ＲＦＩＤタグが動作する際の様々な周囲条件、たとえば液体との接触、様々な周囲温度、自体の品質に影響する可能性のあるＲＦＩＤタグの様々な年齢、
−  無線周波数信号の透過性に影響する、実験装置の装填／保持／処理位置の物理的な環境条件、たとえば金属の存在、
−  ＲＦＩＤタグの集積回路ＩＣの、様々なバッチ／改版／世代、材料、および／または製造公差、
−  ＲＦＩＤタグのＩＣとＲＦＩＤリーダアンテナとの間の電気的接触が不完全な／弱いＲＦＩＤタグ。
【０００８】
受信信号の強度のこのばらつきは、複数のＲＦＩＤタグからの一貫性のない受信信号強度指示（ｒｅｃｅｉｖｅｄ  ｓｉｇｎａｌ  ｓｔｒｅｎｇｔｈ  ｉｎｄｉｃａｔｉｏｎ）ＲＳＳＩにつながる。したがって、受信信号の強度は、もはやリーダアンテナに対する特定のＲＦＩＤタグの位置（たとえば距離）の、精確な指示物ではない。たとえば、より高い感度を有するＲＦＩＤタグからの応答信号は、このＲＦＩＤタグが、実際にリーダアンテナの直近にあるＲＦＩＤタグであるより低い感度の第２のＲＦＩＤタグよりも、リーダアンテナの近くに配設されていると、誤って示す可能性がある。
【０００９】
この問題は、資源（たとえば消耗品）が様々な供給者／ベンダから発している可能性があるため、実験装置の資源に取り付けられたＲＦＩＤタグの品質が多くの場合、実験装置の製造者／使用者に制御できないということによって、さらに増幅される。さらに、実験装置の長い寿命の間の、ＲＦＩＤタグの製造における予期しない変化にも対応しなければならない。
【００１０】
したがって、本発明は、複数のＲＦＩＤタグからの受信信号強度指示ＲＳＳＩの絶対値の直接の比較が、これらのＲＦＩＤタグの相対的な配置に関する結論を引き出すための信頼できる手段ではない、という認識に基づく。
【００１１】
実験装置においてＲＦＩＤタグの配置とＲＦＩＤリーダアンテナとの間の正確な関連付けを提供するために、本発明は以下の主要な段階によって概念上要約され得る：
−  全ての固有識別子を取得するための、各ＲＦＩＤリーダアンテナによる、それらのそれぞれの到達距離内にある全てのＲＦＩＤタグの、（リーダの衝突を回避するための）順次の目録作成（ｉｎｖｅｎｔｏｒｙ）、
−  ＲＦＩＤリーダアンテナの各々による、各ＲＦＩＤタグからの受信信号強度指示の登録、
−  各ＲＦＩＤタグの、その特定のＲＦＩＤタグから最も強い信号を受信したＲＦＩＤリーダアンテナとの関連付け。
【００１２】
受信信号強度の登録とその関連付けとの間に、ＲＦＩＤリーダアンテナに対するＲＦＩＤタグの相対的な配置が変更されないべきであることに留意されたい。代替として−すなわち、ＲＦＩＤリーダアンテナに対するＲＦＩＤタグの相対的な配置が変化した場合−、リーダアンテナに対する各ＲＦＩＤタグのそれぞれの配置の間のいずれの相関も、そのような変化を考慮に入れねばならない。
【００１３】
したがって、１つの実施形態では、個数ＮのＲＦＩＤリーダアンテナを備える実験装置におけるＲＦＩＤタグ−リーダアンテナ関連付けのための開示される方法は、
−  個数ＭのＲＦＩＤタグの各々に対応する固有識別子を読み取るステップ（ｓｔｅｐ）と、
−  Ｎ個のＲＦＩＤリーダアンテナの各々により、各ＲＦＩＤタグからの対応する応答信号の受信信号強度指示を登録するステップと、
−  各ＲＦＩＤタグを、そのＲＦＩＤタグに対応する最も強い受信信号強度指示を受信したＲＦＩＤリーダアンテナと関連付けるステップと、を含み、
ここで、
−  ＮおよびＭは自然数であり、
−  Ｎは２以上であり、
−  Ｍは１以上である。
【００１４】
開示される方法／装置の実施形態は、この方法が、個々のＲＦＩＤタグの感度の予測できないばらつきに関係なく、最も近いＲＦＩＤリーダアンテナへのＲＦＩＤタグの正確な関連付けを可能にするので、特に有利である。最も近いＲＦＩＤリーダアンテナへのＲＦＩＤタグの正確な関連付けは、異なるＲＦＩＤリーダアンテナから受信された同じＲＦＩＤタグからの応答信号を、常時比較することにより達成される。個々のＲＦＩＤリーダアンテナの感度の一貫性は、非常に高い程度まで保証され得かつ（ＲＦＩＤタグの感度と対照的に）実験装置の製造者の完全な制御下にあるので、異なるＲＦＩＤリーダアンテナの同じ発生源（同じＲＦＩＤタグ）から入来する受信信号の比較は、全面的に信頼することができる。したがって、開示される方法／装置の実施形態は、配設されることになる実験装置の資源に取り付けられたＲＦＩＤタグのばらつきにおける大きな適応性をもたらし、同時に実験装置内の装填／保持／処理位置に対応するＲＦＩＤリーダアンテナとのそれらの関連付けの高度な正確度を保証する。
【００１５】
開示される方法／装置のさらなる特徴および利点は、その説明によりかつ図面を参照することによって、以下で詳細に説明される。
【図面の簡単な説明】
【００１６】
【図１】開示される研究室の実施形態の概略ブロック図である。
【図２】カルーセルの各位置に対してＲＦＩＤリーダアンテナがある状態の、カルーセル状のカセット保持器の弧に沿って配置された実験装置のための試薬カセットに取り付けられた複数のＲＦＩＤタグの上面図である。
【図３】ラックの各位置に対してＲＦＩＤリーダアンテナがある状態の、ラック状のカセット保持器に対応して直線的に配置された実験装置のための試薬カセットに取り付けられた複数のＲＦＩＤタグの上面図である。
【発明を実施するための形態】
【００１７】
注：図面は縮尺通りに描かれておらず、これらは例示としてのみ提供され、またよりよい理解のためにのみ役立つものであり、開示される方法／装置の範囲を規定するために役立つものではない。これらの図面から、開示される方法／装置のいかなる特徴の限定も推断されるべきではない。
【００１８】
本特許出願においていくつかの用語が使用されるが、本特許出願の定式化は、選択された特定の用語によって限定されるのではなく、その特定の用語の背後にある一般概念に関連するものとして解釈されるべきである。
【００１９】
本明細書で使用される場合、「実験装置」の用語は、医療、化学、生物学、免疫学、または製薬の分野などにおける実験作業で使用するための、任意の種類の、自動化された、半自動化された、または手動の装置を指す。そのような実験装置は、とりわけ、分析機器（たとえば医療化学分析器、凝析化学分析器、免疫化学分析器、尿分析器）、移送装置（たとえばコンベヤ、把持器、磁気移送表面）、保管ユニット、液体処理ユニット（たとえばピペット操作ユニット）、プロセッサ（たとえば試料調製装置）、ユーザインターフェース、混合ユニット（たとえば攪拌器、振盪器、または揺動器（ａｇｉｔａｔｏｒ））、調節装置（たとえば加熱器／冷却器）、廃棄物ステーション、等分器（ａｌｉｑｕｏｔｅｒ）、データ管理システム、研究室情報システムＬＩＳ、などのうちの少なくとも１つを備えることができる。
【００２０】
開示される方法の文脈で使用される場合、「ＲＦＩＤタグ」の用語は、情報を含むパッシブ型のＲＦＩＤタグ（特にＨＦ領域、すなわち１３．５６ＭＨｚなど１００ＭＨｚ未満で動作するＲＦＩＤタグ）を指す。ＲＦＩＤタグまたは応答機は、コイルまたはアンテナ、およびＲＦＩＤリーダによって読み取られかつ／または書き込まれ得るＲＦＩＤチップ上に格納された何らかの情報を含む。これに対応して、ＲＦＩＤタグは読み取りのみされ得るか、または読み取り／書き込みされ得、また、ＲＦＩＤタグと関連付けられた情報は、製造のときにまたはそれより後のいずれかのときに、ＲＦＩＤタグ内にハードコードされ得る。ＲＦＩＤタグ上に格納された情報は、少なくとも１つの固有識別子ＵＩＤを含む。
【００２１】
本明細書で使用される場合、「ＲＦＩＤリーダ」の用語は、ＲＦＩＤタグから情報を読み取ることのできる、および／またはＲＦＩＤタグに情報を書き込むことのできる、および／またはＲＦＩＤタグ上の情報をロックする（すなわちＲＦＩＤタグ上の情報の改変を防止する）ことのできる装置を含む。ＲＦＩＤリーダは、リーダアンテナならびにこのアンテナを用いて信号を送信および受信するための回路を備えるか、またはこれらに接続される。ＲＦＩＤリーダアンテナは電磁場を生成し、このことによってエネルギーをタグに伝送する。ＲＦＩＤタグの設計に依存して、タグに伝送されるエネルギーの一部分は、タグによって吸収されることになり、この吸収の調整によって、タグについての情報がリーダに戻される。
【００２２】
本明細書で使用される場合、「個別にアドレス指定する」の用語−ＲＦＩＤタグを個別にアドレス指定するＲＦＩＤリーダに関する場合−は、個別にアドレス指定されたＲＦＩＤタグのみが応答するようにする、ＲＦＩＤタグをアドレス指定する任意のモードを指すものとする。ＲＦＩＤタグを個別にアドレス指定するモードは、いずれもＲＦＩＤタグを個別にアドレス指定するためにそのＵＩＤを使用する、「アドレス指定モード」および「選択モード」を備えるが、これらに限定されない。
【００２３】
本明細書で使用される場合、ＲＦＩＤリーダアンテナの近傍にあるＲＦＩＤタグに関する「近傍」の用語は、（ＩＳＯ１５６９３規格によって定義されるような）最大約１〜１．５メートルの距離を意味するものとする。
【００２４】
本明細書で使用される場合、ＲＦＩＤリーダアンテナに近接するＲＦＩＤタグに関する「近接」の用語は、（ＩＳＯ１４４４３規格によって定義されるような）最大約１０センチメートルの距離を意味するものとする。
【００２５】
本明細書で使用される場合、「関連付け」の用語−ＲＦＩＤタグおよびＲＦＩＤリーダアンテナに関する場合−は、ＲＦＩＤタグとリーダのアンテナとの間の、これらの互いに対する相対位置を反映する関係を規定することを指す。１つの実施形態では、ＲＦＩＤタグ−リーダアンテナ関連付けは、コンピュータメモリに格納されたルックアップテーブルの形態で表され、このテーブルは、各ＲＦＩＤタグに対応しかつテーブルセル値としてそのＲＦＩＤタグに最も近いものと判定される特定のアンテナの識別子を有する、テーブルセルを備える。この関連付けを表し得る方法の多くの変形形態が、開示される方法／装置の範囲から逸脱することなく採用され得ることが、理解されるであろう。
【００２６】
本明細書で使用される場合、「資源」の用語は、実験装置の試薬／試薬カセット、または消耗品を指す。「試薬」の用語は、試料の処理のために必要とされる組成物を示すために使用される。試薬は、たとえば反応を起こさせるためにまたは検出を可能とするために、試料および／または他の試薬と混合される必要のある任意の液体、たとえば溶媒または化学溶液とすることができる。試薬はたとえば、水を含め、希釈液とすることができ、これは有機溶媒含むことができ、これは洗浄剤を含むことができ、これは緩衝剤とすることができる。試薬は、たとえば試料、別の試薬、または希釈液によって溶解されるように適合された、乾性の試薬とすることもできる。試薬は、その用語のより厳密な意味においては、反応物質を、典型的には、たとえば試料中に存在する１つまたは複数の検体に結合できるかまたはこれを化学的に変容させることのできる化合物または作用物質を含む、液体溶液とすることができる。反応物質の例は、酵素、酵素基質、共役色素、タンパク結合分子、核酸結合分子、抗体、キレート剤、促進剤、阻害剤、エピトープ、抗原、等である。「試薬カセット」は、液体または試薬の懸濁液を備える容器を指し得る。または、試薬カセットは、液体または試薬の懸濁液を備える容器を保持するための保持器とすることができる。
【００２７】
「消耗品」は、分析試験における利用のために実験装置に反復的に導入される装置であるものと理解される。消耗品は１回使用されてから交換され得るか、または、これは複数回使用され得る。消耗品の例は、ピペット先端部、先端部ラック、液体容器（ｖｅｓｓｅｌ）、試薬容器、等を含む。
【００２８】
開示される方法／装置の実施形態によれば、ＲＦＩＤタグ２０．１〜２０．Ｍは、以下（非網羅的なリスト）のうちの１つまたは複数を備える実験装置１の対応する資源に取り付けられ、かつ／またはこれらと関連付けられる：
−  消耗品および／または消耗品運搬器、
−  試料および／または試料運搬器、
−  先端部および／または先端部運搬器、
−  ストリップ（ｓｔｒｉｐ）および／またはストリップ運搬器、
−  試薬および／または試薬運搬器。
【００２９】
本明細書で使用される場合、「装填／保持／処理位置」の用語は、以下を指すものとする：
−  装填位置：資源を装填／受容するように構成された、実験装置の物理的または機能的配置、たとえば投入トレイまたはラック、
−  保持位置：資源を保持／保管するように構成された、実験装置の物理的または機能的配置、たとえば試薬用の保管ラック、冷却ユニットなど、
−  処理位置：資源の処理（たとえばピペット操作）を可能にするように構成された、実験装置の物理的または機能的配置。
【００３０】
いくつかの実施形態によれば、装填および／または保持および／または処理位置が一致する可能性がある、すなわち、資源は、実験装置の同じ物理的または機能的配置において、装填および／または保持および／または処理され得る。
【００３１】
図１は、開示される方法／装置の１つの実施形態による実験装置１を示し、実験装置１は、資源のためのＮ個の保持位置５．１〜５．Ｎと関連付けられた個数ＮのＲＦＩＤリーダアンテナ１０．１〜１０．Ｎを有する。ＲＦＩＤリーダアンテナ１０．１〜１０．Ｎは、それぞれの保持位置５．１〜５．Ｎ内に装填された個数ＭのＲＦＩＤタグ２０．１〜２０．Ｍから情報を読み取るように配置および構成された、知られている種類のＲＦＩＤアンテナである。
【００３２】
アンテナ１０．１〜１０．Ｎの個数Ｎは、資源を受容するための装填／保持／処理位置５．１〜５．Ｎに対応し、これらの資源に対して、個数ＭのＲＦＩＤタグ２０．１〜２０．Ｍが取り付けられるので、以下のことに留意されたい：
−  ＮおよびＭは自然数（１、２、３・・・）であり、
−  Ｎは２以上であり、
（１つのアンテナしか、すなわち１つの保持位置しか存在しない場合、配置を判定する必要がないため）、
−  Ｍは１以上である。
【００３３】
本発明による方法の第１のステップでは、実験装置１内に装填された全てのＲＦＩＤタグのＵＩＤのリスト／目録（ｉｎｖｅｎｔｏｒｙ）を取得するために、個数ＭのＲＦＩＤタグ（２０．１〜２０．Ｍ）の各々に対応する固有識別子ＵＩＤ１〜ＵＩＤＭが読み取られる。
【００３４】
いくつかの実施形態では−たとえば図１に示すように−、ＲＦＩＤリーダアンテナ１０．１〜１０．Ｎは、装填および／または保持および／または処理位置５．１〜５．Ｎにある個数ＭのＲＦＩＤタグ２０．１〜２０．Ｍの各々に対応する固有識別子ＵＩＤ１〜ＵＩＤＭを読み取るように、各々構成される。
【００３５】
さらに、Ｎ個のＲＦＩＤリーダアンテナ１０．１〜１０．Ｎは、ＲＦＩＤタグ２０．１〜２０．Ｎからの対応する応答信号の受信信号強度指示ＲＳＳＩ．１．１〜ＲＳＳＩ．Ｎ．Ｍを登録し、これらに基づいてＲＦＩＤタグ−リーダアンテナ関連付けを行うように、各々構成される。
【００３６】
いくつかの実施形態によれば、受信信号強度指示ＲＳＳＩ．１．１〜ＲＳＳＩ．Ｎ．Ｍは、Ｎ個のＲＦＩＤリーダアンテナ１０．１〜１０．Ｎの各々によって、同じ段階（ｓｔｅｐ）において／Ｍ個のＲＦＩＤタグ２０．１〜２０．Ｍの各々に対応する固有識別子ＵＩＤ１〜ＵＩＤＭを読み取る間に、登録される。言い換えれば、受信信号強度指示ＲＳＳＩ．１．１〜ＲＳＳＩ．Ｎ．Ｍは、固有識別子ＵＩＤ１〜ＵＩＤＭを担持する応答と同じ応答から登録される。
【００３７】
さらなる実施形態によれば、受信信号強度指示ＲＳＳＩ．１．１〜ＲＳＳＩ．Ｎ．Ｍは、Ｎ個のＲＦＩＤリーダアンテナ１０．１〜１０．Ｎの各々によって、別個の段階において、特にＭ個のＲＦＩＤタグ２０．１〜２０．Ｍの各々を対応する固有識別子ＵＩＤ１〜ＵＩＤＭにより個別にアドレス指定することによって登録される。
【００３８】
代替の実施形態−図面には示されない−では、固有識別子ＵＩＤ１〜ＵＩＤＭは、識別されることになる各資源が最初に通過することになる場所（たとえば開いているドアまたは試薬カセット装填用の引き出しなどの資源用の引き出しのところ）である、実験装置１の異なる配置に位置付けられたＲＦＩＤリーダにより読み取られる。
【００３９】
代替の実施形態−図面には示されない−では、実験装置１によって備えられたまたはこれに通信可能に接続されたコンピュータメモリから、個数ＭのＲＦＩＤタグ２０．１〜２０．Ｍの各々に対応する固有識別子ＵＩＤ１〜ＵＩＤＭが読み取られる。
【００４０】
図１に示されるように、実験装置１は、各ＲＦＩＤタグ２０．１〜２０．Ｍを、ＲＦＩＤタグ２０．１〜２０．Ｍに対応する最も強い受信信号強度指示ＲＳＳＩ．１．１〜ＲＳＳＩ．Ｎ．Ｍを受信したリーダアンテナ１０．１〜１０．Ｎと関連付けるように構成された処理ユニット２をさらに備える。
【００４１】
本発明によるいくつかの実施形態では、この関連付けは、ＲＦＩＤタグ２０．１〜２０．Ｎからの対応する応答信号の受信信号強度指示ＲＳＳＩ．１．１〜ＲＳＳＩ．Ｎ．Ｍが登録される表に基づき、この表は、１つの実施形態では以下の表１に類似する。
【００４２】
【表１】
2016051474.tif 000003
【００４３】
表１は、本明細書によって開示された方法が、感度の異なる複数のＲＦＩＤタグから生じる問題をどのように克服するかを、非常に良好に例示する。たとえば上記の表におけるように、第２のリーダアンテナ１０．２は、第２のＲＦＩＤタグ２０．２（相対的に弱いタグ）に対するよりも第１のＲＦＩＤタグ２０．１（相対的に強いタグ）に対して、より高いＲＳＳＩ値を記録する。この場合、従来の知られている方法であれば、第１のＲＦＩＤタグ２０．１が第２のリーダアンテナ１０．２の最も近くに配設されていると、誤って結論付けるであろう。しかしながらこれは正しくなく、知られている方法を使用するこのエラーは、第２のアンテナ１０．２に最も近いものであるにも関わらず、それより離れている第１のＲＦＩＤタグ２０．１よりもわずかに弱いＲＳＳＩ値を有する応答を送信する第２のＲＦＩＤタグ２０．２の、より低い感度に起因するものと考えられる。
【００４４】
これとは対照的に、開示された方法／装置の方法を使用して、複数のＲＦＩＤリーダアンテナによって受信された第２のＲＦＩＤタグ２０．２に関するＲＳＳＩ値を比較することによって、処理ユニット２は、第２のＲＦＩＤタグ２０．２を第２のリーダアンテナ１０．２に最も近いものとして正しく関連付ける。
【００４５】
１つの実施形態では、エラーを減らすためのさらなるステップとして、方法は、２つ以上のＲＦＩＤタグ２０．１〜２０．Ｍが各リーダアンテナ１０．１〜１０．Ｎと関連付けられていないことを確認するステップをさらに含む。
【００４６】
各ＲＦＩＤタグ２０．１〜２０．Ｍを、ＲＦＩＤタグ２０．１〜２０．Ｍに対応する最も強い受信信号強度指示ＲＳＳＩ．１．１〜ＲＳＳＩ．Ｎ．Ｍを受信したリーダアンテナ１０．１〜１０．Ｎと関連付けるステップに加えて、いくつかの実施形態は、ＲＦＩＤタグ２０．１〜２０．ＭのＲＦＩＤリーダアンテナ１０．１〜１０．Ｎとの関連付けに基づいて、Ｍ個のＲＦＩＤタグ２０．１〜２０．Ｍの各々のそれぞれの配置と装填および／または保持および／または処理位置５．１〜５．Ｎとの間の相関を提供するステップをさらに含む。関連付けおよび相関を提供するステップが、同時に単一の動作／段階としてさえ実行され得ることに留意されたい。
【００４７】
正しいＲＦＩＤタグ２０．１〜２０．Ｍと通信されることを保障するために、関連付けが提供された後で、実験装置１と特定のＲＦＩＤタグ２０．１〜２０．Ｍとの間の通信は、特定のＲＦＩＤタグ２０．１〜２０．Ｍと関連付けられたリーダアンテナ１０．１〜１０．Ｎを通して方向付けられ、各リーダアンテナ１０．１〜１０．Ｎは、関連付けられたＲＦＩＤタグ２０．１〜２０．Ｍを個別にアドレス指定することによって、すなわちいわゆるＲＦＩＤアドレス指定モードコマンドによって、通信する。
【００４８】
開示された方法／装置のさらなる実施形態によれば、Ｍ個のＲＦＩＤタグ２０．１〜２０．Ｍの各々に対応する固有識別子ＵＩＤ１〜ＵＩＤＭを読み取ることに基づき、ＲＦＩＤタグ２０．１〜２０．Ｍの個数ＭがＲＦＩＤリーダアンテナ１０．１〜１０．Ｎの個数Ｎよりも大きい場合に、エラー信号が生成される。このことは、資源から落ちたＲＦＩＤタグのラベルが実験装置内に「貼り付いて」いること、または資源に誤って２つ以上のＲＦＩＤタグが取り付けられていることに起因している可能性がある。
【００４９】
開示された方法／装置のさらなる実施形態では、Ｍ個のＲＦＩＤタグ２０．１〜２０．Ｍの各々に対応する固有識別子ＵＩＤ１〜ＵＩＤＭを読み取ることに基づき、ＲＦＩＤタグ２０．１〜２０．Ｍの個数Ｍが、実験装置１の装填および／または保持および／または処理位置内に存在するものとして検出された資源の個数Ｒと異なる場合に、エラー信号が生成される。１つの資源が、１つのＲＦＩＤタグ２０．１〜２０．Ｍと関連付けられる／これらによって識別されることになるので、ＲＦＩＤタグよりも多い資源の存在は、少なくとも１つの資源が識別され得ないことを示している。このことは、資源がＲＦＩＤタグを有していない、欠陥のあるＲＦＩＤタグが取り付けられている、または資源が誤って装填されこの結果ＲＦＩＤタグがＲＦＩＤリーダアンテナの範囲内にない場合である可能性がある。検出される資源の個数Ｒは、光学的検出によって、重量測定によって、電気機械的接触（スイッチ）によって、等のように、資源のＲＦＩＤタグから独立した手段によって判定され得る。
【００５０】
図２は、各保持位置５．１〜５．Ｎに対してＲＦＩＤリーダアンテナ１０．１〜１０．Ｎがある状態の、弧に沿って配置された、実験装置１のための資源（消耗品、たとえば試薬カセット）に取り付けられた複数のＲＦＩＤタグ２０．１〜２０．Ｍの上面図を示す。本明細書に記述される実施形態では、保持位置５．１〜５．Ｎは、試薬カセットなどのためのカルーセル状のカセット保持器の位置である。この図に様々な点線で例示されるように、１つのリーダアンテナ１０．１〜１０．Ｎの読み取り範囲は十分に広いので、２つ以上のＲＦＩＤタグ２０．１〜２０．Ｍがその中に配設され得る。
【００５１】
図３は、ラックの各保持位置５．１〜５．Ｎに対してＲＦＩＤリーダアンテナ１０．１〜１０．Ｎがある状態の、実験装置１のための試薬カセットに取り付けられた複数のＲＦＩＤタグ２０．１〜２０．Ｍがラック状のカセット保持器に対応して直線的に配置された、さらなる実施形態の上面図を示す。
【００５２】
上記された特定の構造に基づいて、以下の特許請求の範囲に規定されるような本発明の範囲から逸脱することなく、多くの変形形態が採用され得ることが理解されるであろう。
【符号の説明】
【００５３】
１  実験装置
２  処理ユニット
５．１〜５．Ｎ  保持位置、処理位置、装填／保持／処理位置、装填および／または保持および／または処理位置
１０．１〜１０．Ｎ  ＲＦＩＤリーダアンテナ
２０．１〜２０．Ｍ  ＲＦＩＤタグ
【図１】
2016051474.tif 000004
【図２】
2016051474.tif 000005
【図３】
2016051474.tif 000006
【外国語明細書】
2016051474000001.pdf